(57)【要約】【課題】撮影後のデジタル画像を確認するときに、撮影後のデジタル画像が検証データ付きであるか否かを確認することができることができない。【解決手段】表示制御部１０４は、撮影後のデジタル画像の縮小画像を表示部１０５に表示させるとともに、付加マーク（撮影後のデジタル画像が検証データ付きであることを表す）を表示部１０５に表示させる。これと並行して、演算部１１０は、撮影後のデジタル画像から変換されたＪＰＥＧ画像からそのＪＰＥＧ画像の検証データを生成する。メモリインターフェース部１０６は、ＪＰＥＧ画像ファイル（ＪＰＥＧ画像、縮小画像、サムネイル画像、検証データなどを含む）をメモリカード１０７に保存する。【選択図】  図１
2004187142.tif 000002
【特許請求の範囲】
【請求項１】
撮影後のデジタル画像に前記デジタル画像が改変されていないことを検証するのに必要なデータである検証データを付加する撮像装置であって、
前記デジタル画像の縮小画像を表示手段に自動的に表示させるときに、前記デジタル画像が前記検証データ付きであることを表す情報を前記表示手段に表示させることを特徴とする撮像装置。
【請求項２】
撮影後のデジタル画像に前記デジタル画像が改変されていないことを検証するのに必要なデータである検証データを付加する撮像装置であって、
前記検証データを生成する処理と、前記デジタル画像が前記検証データ付きであることを表す情報を表示手段に表示させる処理とを並列に実行することを特徴とする撮像装置。
【発明の詳細な説明】
【０００１】
【発明の属する技術分野】
本発明は、撮像後のデジタル画像に検証データ（デジタル画像が改変されていないものであることを検証するのに必要なデータ）を付加する撮像装置に関するものである。
【０００２】
【従来の技術】
特開平１１−３０８５６４号公報には、撮影後のデジタル画像にＭＡＣ（Ｍｅｓｓａｇｅ  Ａｕｔｈｅｎｔｉｃａｔｉｏｎ  Ｃｏｄｅ）を付加して記憶媒体に保存するデジタルカメラシステムが開示されている。ＭＡＣは、撮影後のデジタル画像が改変されていないものであることを検証するのに必要なデータである検証データに相当するものである。
【０００３】
【特許文献１】
特開平１１−３０８５６４号公報
【０００４】
【発明が解決しようとする課題】
しかしながら、従来のデジタルカメラシステムには、撮影後のデジタル画像の縮小画像を自動的に表示部に表示させるときに、そのデジタル画像が検証データ付きであっても、そのデジタル画像が検証データ付きであることを表す情報を表示部に表示させていない。そのため、ユーザは、撮影後のデジタル画像を確認するときに、撮影後のデジタル画像が検証データ付きであるか否かを確認することができないという問題がある。
【０００５】
また、従来のデジタルカメラシステムでは、撮影後のデジタル画像の検証データを生成する処理と、撮影後のデジタル画像が検証データ付きであることを表す情報を表示部に表示させる処理とを並列に行っていない。そのため、撮影後のデジタル画像が検証データ付きであることを表す情報を素早くユーザに通知することができないという問題もある。
【０００６】
本発明は、このような問題を解決する撮像装置を提供することを目的とする。
【０００７】
【課題を解決するための手段】
本発明における撮像装置の一つは、撮影後のデジタル画像に前記デジタル画像が改変されていないことを検証するのに必要なデータである検証データを付加する撮像装置であって、前記デジタル画像の縮小画像を表示手段に自動的に表示させるときに、前記デジタル画像が前記検証データ付きであることを表す情報を前記表示手段に表示させることを特徴とする。
【０００８】
本発明における撮像装置の一つは、撮影後のデジタル画像に前記デジタル画像が改変されていないことを検証するのに必要なデータである検証データを付加する撮像装置であって、前記検証データを生成する処理と、前記デジタル画像が前記検証データ付きであることを表す情報を表示手段に表示させる処理とを並列に実行することを特徴とする。
【０００９】
【発明の実施の形態】
以下、図１〜図３を参照し、本発明における実施の形態を説明する。
図１は、本実施の形態における撮像装置１０の主要な構成要素を示す図である。撮像装置１０は、イメージセンサを用いてデジタル画像を撮影する機能を有する装置（デジタルカメラ、スキャナ、コピー装置、デジタルカメラ付き携帯機器など）である。
【００１０】
撮像部１０１は、イメージセンサを用いてデジタル画像を撮影する。画像処理部１０２は、撮像部１０１から得たデジタル画像のサイズを所定のサイズに変換し、所定のサイズに変換したデジタル画像を現像する。本実施の形態では、デジタル画像のホワイトバランス、明るさ、色相、彩度、色空間などの少なくとも一つを予め設定された画像調整条件に従って調整することを現像と呼ぶ。
【００１１】
画像処理部１０２は、画像記録モードがＪＰＥＧモードである場合、現像したデジタル画像を所定の画質（ファインまたはノーマル）のＪＰＥＧ画像に変換するとともに、現像したデジタル画像から縮小画像およびサムネイル画像を生成し、ＪＰＥＧ画像、縮小画像およびサムネイル画像を内部メモリ１０３に書き込む。本実施の形態では、ＪＰＥＧ方式（ＩＳＯ／ＩＥＣ  １０９１８−１参照）などの非可逆圧縮方式に従って圧縮したデジタル画像をＪＰＥＧ画像と呼び、デジタル画像をＪＰＥＧ画像に変換して保存する画像記録モードをＪＰＥＧモードと呼ぶ。また、本実施の形態では、現像したデジタル画像を表示部１０５の画面のサイズに適したサイズに縮小したものを縮小画像と呼ぶ。
【００１２】
また、画像処理部１０２は、画像記録モードがＲＡＷモードである場合、現像したデジタル画像をＲＡＷ画像に変換し、現像したデジタル画像から縮小画像およびサムネイル画像を生成し、ＲＡＷ画像、縮小画像およびサムネイル画像を内部メモリ１０３に書き込む。本実施の形態では、可逆圧縮方式（ロスレス圧縮方式）に従って圧縮したデジタル画像をＲＡＷ画像と呼び、デジタル画像をＲＡＷ画像に変換して保存する画像記録モードをＲＡＷモードと呼ぶ。
【００１３】
表示制御部１０４は、検証データ付加モードがオンである場合、内部メモリ１０３から得た縮小画像（撮影後のデジタル画像を縮小したもの）を表示部１０５に自動的に表示させるとともに、付加マークも表示部１０５に自動的に表示させる。また、表示制御部１０４は、検証データ付加モードがオンでない場合、内部メモリ１０３から得た縮小画像を表示部１０５に自動的に表示させるが、付加マークを表示させないようにする。本実施の形態では、撮影後のデジタル画像に検証データを付加するモードを検証データ付加モードと呼び、撮影後のデジタル画像が検証データ付きであることを表す情報を付加マークと呼ぶ。
【００１４】
メモリインターフェース部１０６は、内部メモリ１０３から得た画像ファイルをメモリカード１０７に保存する。メモリカード１０７は、複数枚の画像ファイルを記憶する容量を有するリムーバブルな記憶媒体である。
【００１５】
メイン制御部１０８は、撮像装置１０の様々な機能を制御する。メイン制御部１０８は、マイクロコンピュータおよびそのマイクロコンピュータで実行可能なプログラムを記憶したメモリを有する。操作部１０９は、撮像装置１０を操作するためのスイッチ、ボタン、ダイヤルなど操作手段を有する。画像記録モードの切り替え、検証データ付加モードのオン／オフなどは、操作部１０９を用いて設定することができる。また、撮像画像のホワイトバランス、明るさ、色相、彩度、色空間、サイズ、画質などの少なくとも一つを調整するための画像調整条件も操作部１０９を用いて設定することができる。
【００１６】
演算部１１０は、画像記録モードがＪＰＥＧモードである場合、内部メモリ１０３から得たＪＰＥＧ画像から検証データを生成する。ＪＰＥＧ画像の検証データは、ＪＰＥＧ画像から求めたハッシュ値（あるいはこれに相当するデータ）を秘密鍵暗号方式（対称鍵暗号方式ともいう）の秘密鍵（ｓｅｃｒｅｔ  ｋｅｙ）で暗号化（あるいはこれに相当する演算）する方法によって生成される。但し、検証データはこれ以外の方法によって生成することも可能である。例えば、ＪＰＥＧ画像から求めたハッシュ値（あるいはこれに相当するデータ）を公開鍵暗号方式（非対称鍵暗号方式ともいう）の秘密鍵（ｐｒｉｖａｔｅ  ｋｅｙ）で暗号化（あるいはこれに相当する演算）することによって生成する方法によって生成することももちろん可能である。
【００１７】
また、演算部１１０は、画像記録モードがＲＡＷモードである場合、内部メモリ１０３から得たＲＡＷ画像から検証データを生成する。ＲＡＷ画像の検証データは、ＲＡＷ画像から求めたハッシュ値（あるいはこれに相当するデータ）を秘密鍵暗号方式（対称鍵暗号方式ともいう）の秘密鍵（ｓｅｃｒｅｔ  ｋｅｙ）で暗号化（あるいはこれに相当する演算）する方法によって生成される。但し、検証データはこれ以外の方法によって生成することも可能である。例えば、ＲＡＷ画像から求めたハッシュ値（あるいはこれに相当するデータ）を公開鍵暗号方式（非対称鍵暗号方式ともいう）の秘密鍵（ｐｒｉｖａｔｅ  ｋｅｙ）で暗号化（あるいはこれに相当する演算）することによって生成する方法によって生成することももちろん可能である。
【００１８】
図２および図３は、本実施の形態における撮像装置１０の処理手順を示す図である。
ステップＳ２０１：ユーザからの指示に従ってデジタル画像を撮影する。
【００１９】
ステップＳ２０２：画像記録モードを判定する。画像記録モードがＪＰＥＧモードである場合はステップＳ２０３に進み、画像記録モードがＲＡＷモードである場合はステップＳ３０１に進む。
【００２０】
ステップＳ２０３：画像処理部１０２は、撮像部１０１から得たデジタル画像のサイズを所定のサイズに変換し、所定のサイズに変換したデジタル画像を現像する。
【００２１】
ステップＳ２０４：画像処理部１０２は、現像したデジタル画像を所定の画質（ファインまたはノーマル）のＪＰＥＧ画像に変換するとともに、現像された撮像画像から縮小画像、サムネイル画像を生成し、ＪＰＥＧ画像、縮小画像およびサムネイル画像を内部メモリ１０３に書き込む。
【００２２】
ステップＳ２０５：メイン制御部１０８は、検証データ付加モードがオンであるか否かを判定する。検証データ付加モードがオンであると判定した場合はステップＳ２０６およびステップＳ２０７に進み、検証データ付加モードがオンでないと判定した場合はステップＳ２１０に進む。
【００２３】
ステップＳ２０６：ステップＳ２０６の処理は、ステップＳ２０７の処理と並列に実行される処理であり、ステップＳ２０７の処理が完了する前に開始される処理である。表示制御部１０４は、内部メモリ１０３から得た縮小画像を表示部１０５に自動的に表示させるとともに、付加マーク（撮影後のデジタル画像が検証データ付きであることを表す）も表示部１０５に表示させる。
【００２４】
ステップＳ２０７：演算部１１０は、内部メモリ１０３から得たＪＰＥＧ画像からそのＪＰＥＧ画像の検証データ（ＪＰＥＧ画像が改変されていないことを検証するのに必要なデータ）を生成し、生成した検証データを内部メモリ１０３に書き込む。
【００２５】
ステップＳ２０８：メイン制御部１０８は、ＪＰＥＧ画像、縮小画像、サムネイル画像、検証データなどを含むＪＰＥＧ画像ファイルを生成し、生成したＪＰＥＧ画像ファイルを内部メモリ１０３に書き込む。
【００２６】
ステップＳ２０９：メモリインターフェース部１０６は、内部メモリ１０３から得たＪＰＥＧ画像ファイルをメモリカード１０７に保存する。
【００２７】
ステップＳ２１０：表示制御部１０４は、内部メモリ１０３から得た縮小画像を表示部１０５に自動的に表示させるが、付加マーク（撮影後のデジタル画像が検証データ付きであることを表す）を表示部１０５に表示させないようにする。付加マークを表示部１０５に表示させないので、ユーザは、撮影後のデジタル画像が検証データ付きでないことを認識することができる。
【００２８】
ステップＳ２１１：メイン制御部１０８は、ＪＰＥＧ画像、縮小画像、サムネイル画像などを含むＪＰＥＧ画像ファイル（検証データを含まない）を生成し、生成したＪＰＥＧ画像ファイルを内部メモリ１０３に書き込む。
【００２９】
ステップＳ２１２：メモリインターフェース部１０６は、内部メモリ１０３から得たＪＰＥＧ画像ファイルをメモリカード１０７に保存する。
【００３０】
ステップＳ３０１：画像処理部１０２は、撮像部１０１から得たデジタル画像をＲＡＷ画像に変換するとともに、撮像部１０１から得たデジタル画像から縮小画像およびサムネイル画像を生成し、ＲＡＷ画像、縮小画像およびサムネイル画像を内部メモリ１０３に書き込む。
【００３１】
ステップＳ３０２：メイン制御部１０８は、検証データ付加モードがオンであるか否かを判定する。検証データ付加モードがオンであると判定した場合はステップＳ３０３およびステップＳ３０４に進み、検証データ付加モードがオンでないと判定した場合はステップＳ３０７に進む。
【００３２】
ステップＳ３０３：ステップＳ３０３の処理は、ステップＳ３０４の処理と並列に実行される処理であり、ステップＳ３０４の処理が完了する前に開始される処理である。表示制御部１０４は、内部メモリ１０３から得た縮小画像を表示部１０５に自動的に表示させるとともに、付加マーク（撮影後のデジタル画像が検証データ付きであることを表す）も表示部１０５に自動的に表示させる。
【００３３】
ステップＳ３０４：演算部１１０は、内部メモリ１０３から得たＲＡＷ画像からそのＲＡＷ画像の検証データ（ＲＡＷ画像が改変されていないことを検証するのに必要なデータ）を生成し、生成した検証データを内部メモリ１０３に書き込む。
【００３４】
ステップＳ３０５：メイン制御部１０８は、ＲＡＷ画像、縮小画像、サムネイル画像、検証データなどを含むＲＡＷ画像ファイルを生成し、生成したＲＡＷ画像ファイルを内部メモリ１０３に書き込む。
【００３５】
ステップＳ３０６：メモリインターフェース部１０６は、内部メモリ１０３から得たＲＡＷ画像ファイルをメモリカード１０７に保存する。
【００３６】
ステップＳ３０７：表示制御部１０４は、内部メモリ１０３から得た縮小画像を表示部１０５に自動的に表示させるが、付加マーク（撮影後のデジタル画像が検証データ付きであることを表す）を表示部１０５に表示させないようにする。付加マークを表示部１０５に表示させないので、ユーザは、撮影後のデジタル画像が検証データ付きでないことを認識することができる。
【００３７】
ステップＳ３０８：メイン制御部１０８は、ＲＡＷ画像、縮小画像、サムネイル画像などを含むＲＡＷ画像ファイル（検証データを含まない）を生成し、生成したＲＡＷ画像ファイルを内部メモリ１０３に書き込む。
【００３８】
ステップＳ３０９：メモリインターフェース部１０６は、内部メモリ１０３から得たＲＡＷ画像ファイルをメモリカード１０７に保存する。
【００３９】
このように、本実施の形態における撮像装置１０によれば、撮影後のデジタル画像の縮小画像を自動的に表示部１０５に表示させるときに、そのデジタル画像が検証データ付きであることを表す情報（付加マーク）を表示部１０５に表示させることができる。このような機能により、ユーザは、撮影後のデジタル画像を確認するときに、撮影後のデジタル画像が検証データ付きであるか否かを確認することができるようになる。
【００４０】
また、本実施の形態における撮像装置１０によれば、撮影後のデジタル画像の検証データを生成する処理と、撮影後のデジタル画像が検証データ付きであることを表す情報を表示部１０５に自動的に表示させる処理とを並列に行うことができる。このような機能により、撮像装置１０は、撮影後のデジタル画像が検証データ付きであることを表す情報を素早くユーザに通知することができる。
【００４１】
（他の実施の形態）
本発明は、上述の実施の形態に限定されるものではなく、様々な形態で実施することができる。本発明は、例えば、ＪＰＥＧ方式をＪＰＥＧ方式以外の不可逆圧縮方式に置き換えた形態においても実施可能である。
【００４２】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４３】
この場合、記憶媒体から読み出されたプログラムコード自体が前述した実施形態の機能を実現することになり、プログラムコード自体及びそのプログラムコードを記憶した記憶媒体は本発明を構成することになる。
【００４４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４５】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。
【００４６】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【００４７】
【発明の効果】
本発明によれば、撮影後のデジタル画像を確認するときに、撮影後のデジタル画像が検証データ付きであるか否かを確認することができる。
【図面の簡単な説明】
【図１】本実施の形態における撮像装置１０の主要な構成要素を示す図である。
【図２】本実施の形態における撮像装置１０の処理手順の一部を示す図である。
【図３】本実施の形態における撮像装置１０の処理手順の一部を示す図である。
【符号の説明】
１０  撮像装置
１０１  撮像部
１０２  画像処理部
１０３  内部メモリ
１０４  表示制御部
１０５  表示部
１０６  メモリインターフェース部
１０７  リムーバブルメモリ
１０８  メイン制御部
１０９  操作部
１１０  演算部
【図１】
2004187142.tif 000003
【図２】
2004187142.tif 000004
【図３】
2004187142.tif 000005